(57)【要約】【課題】  効率良く建築基材上の所定領域にタイルを固定する方法を提供すること。【解決手段】  基材上に接着剤を塗布する工程と、その後に、複数のタイルが所定の目地間隔で配列固定されてなる複数のタイルユニットを前記基材の接着剤塗布面に押圧する工程を備え、前記複数のタイルユニットは標準タイルユニットと建築基材端部用タイルユニットとからなり、前記建築基材端部用タイルユニットは上下方向に２列周期で同一パターンが現れるようにタイルの配列が上下に隣り合うタイル列の一方の端部が長さＬ突出しかつ他方の端部が同一直線状で互い違いに配列固定されたタイルユニットであり、前記押圧工程では、前記建築基材端部用タイルユニットの同一直線状で配列固定された端部が前記基材の端部上になるように押圧固定し、かつ前記基材の他の部分には前記標準タイルユニットを押圧固定することを特徴とする建築基材上へのタイルの固定方法。【選択図】  図２
2005256489.tif 000002
【特許請求の範囲】
【請求項１】
建築基材上に複数のタイルを固定する方法であって、前記基材上に接着剤を塗布する工程と、その後に、複数のタイルが所定の目地間隔で配列固定されてなる複数のタイルユニットを前記基材の接着剤塗布面に押圧する工程を備え、前記複数のタイルユニットは標準タイルユニットと建築基材端部用タイルユニットとからなり、前記標準タイルユニットは上下方向に２列周期で同一パターンが現れるようにタイルの配列が上下に隣り合うタイル列の一方の端部が長さＬ突出しかつ他方の端部が長さＬ引っ込んだ構成で互い違いに配列固定されたタイルユニットであり、前記建築基材端部用タイルユニットは上下方向に２列周期で同一パターンが現れるようにタイルの配列が上下に隣り合うタイル列の一方の端部が長さＬ突出しかつ他方の端部が同一直線状で互い違いに配列固定されたタイルユニットであり、前記押圧工程では、前記建築基材端部用タイルユニットの同一直線状で配列固定された端部が前記基材の端部上になるように押圧固定し、かつ前記基材の他の部分には前記標準タイルユニットを押圧固定することで、建築基材の所定部分に隙間なく前記タイルユニットを２列周期で同一パターンが現れるように配列固定するようにすることを特徴とする建築基材上へのタイルの固定方法。
【請求項２】
上下方向に２列周期で同一パターンが現れるようにタイルの配列が上下に隣り合うタイル列の一方の端部が長さＬ突出しかつ他方の端部が同一直線状で互い違いに配列固定されていることを特徴とする建築基材端部用タイルユニット。
【発明の詳細な説明】
【技術分野】
【０００１】
本発明は、建築基材上へのタイルの固定方法に関する。
【背景技術】
【０００２】
図３に示すようなタイルの貼り方を、馬踏み目地状のタイル貼りという。図３では建築基材上に複数のタイルが所定の目地間隔で、上下方向に２列周期で同一パターンが現れるように配列固定されており、上記複数のタイルの配列は、上下に隣り合うタイル列の一方の端部がタイル長さの１／２突出し、かつ他方の端部がタイル長さの１／２引っ込んだ構成となっている。  
【０００３】
上記のパターンでタイル貼りする方法は、建築基材上にタイルを一枚一枚貼る方法がある。しかしながらこの方法では必要タイル数だけの貼り付け作業が必要であり、なおかつその作業をタイル同士の位置調整をしながら行わなければならず大変な手間がかかる。
【０００４】
そこで、従来より、タイルユニットを用いる方法が提案されている。すなわち、例えば、馬踏み目地状のタイル貼りを行う場合、図４に示すような、複数のタイルが所定の目地間隔で、上下方向に２列周期で同一パターンが現れるように配列固定されており、上記複数のタイルの配列は、上下に隣り合うタイル列の一方の端部がタイル長さの１／２突出し、かつ他方の端部がタイル長さの１／２引っ込んだ構成の、人が持てる大きさのタイルユニットを予め用意し、それをかみ合わせながら建築基材上に貼り付けるのである。この方法によれば、貼り付け作業は必要タイルユニット数だけで済み、かつタイルユニット内のタイル同士の位置調整は不要なため、かなり手間は軽減される。
【０００５】
しかしながら、上記パターンを用いた場合、建築基材のタイル仕上げ面の両端部に半端な部分が生じてしまう。
従来から用いられているそれを解決する方法は、（１）半端な部分をグラインダー等を用いて切断する、（２）半端な部分にタイル片を挿入する、という方法が用いられていた。このような端部処理は多大な労力を要するため、端部処理が不要な、タイル列の端部が直線上に揃った、長方形かまたは正方形のタイルユニットが多用されている。（例えば、特許文献１参照。）
【特許文献１】特開２０００−９６８０２号公報（第１図）
【発明の開示】
【発明が解決しようとする課題】
【０００６】
上述のように、半端な部分をグラインダー等を用いて切断する場合、不安定な状態でグラインダーを使用する必要があり、作業が大変であった。また、切断時にタイルユニットからタイルが脱落する場合もあった。
また、半端な部分にタイル片を挿入する方法では、半端な部分の数だけタイル片の貼り付け作業が必要であり、大変な手間がかかった。
【０００７】
本発明は上記事情に鑑みてなされたものであり、効率良く建築基材上の所定領域にタイルを固定する方法、及びそれに利用する建築基材端部用タイルユニットを提供することを目的とする。
【課題を解決するための手段】
【０００８】
本発明では、上記課題を解決すべく、建築基材上に複数のタイルを固定する方法であって、前記基材上に接着剤を塗布する工程と、その後に、複数のタイルが所定の目地間隔で配列固定されてなる複数のタイルユニットを前記基材の接着剤塗布面に押圧する工程を備え、前記複数のタイルユニットは標準タイルユニットと建築基材端部用タイルユニットとからなり、前記標準タイルユニットは上下方向に２列周期で同一パターンが現れるようにタイルの配列が上下に隣り合うタイル列の一方の端部が長さＬ突出しかつ他方の端部が長さＬ引っ込んだ構成で互い違いに配列固定されたタイルユニットであり、前記建築基材端部用タイルユニットは上下方向に２列周期で同一パターンが現れるようにタイルの配列が上下に隣り合うタイル列の一方の端部が長さＬ突出しかつ他方の端部が同一直線状で互い違いに配列固定されたタイルユニットであり、前記押圧工程では、前記建築基材端部用タイルユニットの同一直線状で配列固定された端部が前記基材の端部上になるように押圧固定し、かつ前記基材の他の部分には前記標準タイルユニットを押圧固定することで、建築基材の所定部分に隙間なく前記タイルユニットを２列周期で同一パターンが現れるように配列固定するようにすることを特徴とする建築基材上へのタイルの固定方法を提供する。
上下方向に２列周期で同一パターンが現れるようにタイルの配列が上下に隣り合うタイル列の一方の端部が長さＬ突出しかつ他方の端部が同一直線状で互い違いに配列固定された建築基材端部用タイルユニットを用いることで、建築基材端部の貼り付け作業が軽減でき、効率良く建築基材上の所定領域にタイルを固定することができる。
【発明の効果】
【０００９】
本発明によれば、効率良く建築基材上の所定領域にタイルを固定する方法、及びそれに利用する建築基材端部用タイルユニットを提供することが可能となる。
【発明を実施するための最良の形態】
【００１０】
以下に、本発明の具体的な実施形態について、図に基づき説明する。
図１は、本発明に使用する標準タイルユニットであり、図２は、本発明に使用する建築基材端部用タイルユニットである。
図１の標準タイルユニットでは、上下方向に２列周期で同一パターンが現れるようにタイル１の配列が上下に隣り合うタイル列の一方の端部が長さＬ突出しかつ他方の端部が長さＬ引っ込んだ構成で互い違いに配列固定されている。
各タイルは紙、樹脂又はネットにより連結されている。各タイルと紙、樹脂又はネットは接着剤により固定されている。このようなタイル連結ユニットは、特定のパターンケース内で複数のタイルを所定の目地間隔で、上下方向に２列周期で同一パターンが現れるように配列し、その上に紙、樹脂又はネットを接着剤により固定し、パターンケースから引き抜くことにより得られる。
【００１１】
図２の建築基材端部用タイルユニットでは、上下方向に２列周期で同一パターンが現れるようにタイルの配列が上下に隣り合うタイル列の一方の端部が長さＬ突出しかつ他方の端部が同一直線上で互い違いに配列固定されている。
各タイルは紙、樹脂又はネットにより連結されている。各タイルと紙、樹脂又はネットは接着剤により固定されている。このようなタイル連結ユニットは、特定のパターンケース内で複数のタイルを所定の目地間隔で、上下方向に２列周期で同一パターンが現れるように配列し、その上に紙、樹脂又はネットを接着剤により固定し、パターンケースから引き抜くことにより得られる。
【００１２】
次に、本発明の建築基材上へのタイルの固定方法を説明する。本発明では、まず、建築基材上に接着剤を塗布する。その後に、上記標準タイルユニットおよび建築基材端部用タイルユニットを、建築基材の接着剤塗布面に押圧しながら固定していく。この押圧しながらタイルユニットを貼り付けていく際に、前記建築基材端部用タイルユニットの同一直線状で配列固定された端部が前記基材の端部上になるように押圧固定し、それにかみ合せるように中央に向かって標準タイルユニットを押圧固定する。そして建築基材の施工面の中央付近では標準ユニット同士をかみ合わせ、反対側の端部では再び標準タイルユニットと建築基材端部用タイルユニットとをかみ合わせる。
このようにすることで、効率良く建築基材上の所定領域にタイルを固定することが可能になる。
【００１３】
建築基材の施工面が出隅部を有する場合には、建築基材端部用タイルユニットの同一直線状の端部を下方に向けて出隅角度の１／２程度の角度で切り欠いてあるようにするとよい。そうすることで、出隅部においてぶつかった２つの建築基材端部用タイルユニット同士を貼り合せることが可能となる。
【図面の簡単な説明】
【００１４】
【図１】本発明に使用する標準タイルユニットを示す図。
【図２】本発明に使用する建築基材端部用タイルユニットを示す図。
【図３】馬踏み目地状のタイル貼り状態を示す図。
【図４】馬踏み目地状のタイル貼りのためのタイルユニットを示す図。
【符号の説明】
【００１５】
１…タイル
【図１】
2005256489.tif 000003
【図２】
2005256489.tif 000004
【図３】
2005256489.tif 000005
【図４】
2005256489.tif 000006